(57)【要約】【課題】照明光を発生する機能と、閃光を発生する機能とを兼ね備えた照明装置を提供する。【解決手段】照明装置２００は、光源２１０と、駆動部２４５とを備える。光源２１０は、可変の明るさを有する光を発生する。駆動部２４５は、光源２１０を駆動する。駆動部２４５は、第１モードにおいて、光源２１０が照明光を発生するように光源２１０を駆動する。駆動部２４５は、第２モードにおいて、光源２１０が閃光を発生するように光源２１０を駆動する。閃光の明るさは、照明光の明るさよりも大きい。【選択図】図３
2020072054.tif 000002
【特許請求の範囲】
【請求項１】
可変の明るさを有する光を発生する光源と、
前記光源を駆動する駆動部と
を備え、
前記駆動部は、
第１モードにおいて、前記光源が照明光を発生するように前記光源を駆動し、
第２モードにおいて、前記光源が閃光を発生するように前記光源を駆動し、
前記閃光の明るさは、前記照明光の明るさよりも大きい、照明装置。
【請求項２】
前記駆動部は、前記閃光の明るさを調整する機能を更に有する、請求項１に記載の照明装置。
【請求項３】
前記光源は、可変の色温度を有する光を発生する機能を有し、
前記駆動部は、前記閃光の色温度を調整する機能を更に有する、請求項１又は請求項２に記載の照明装置。
【請求項４】
前記駆動部は、空間の色温度の測定結果に基づいて前記閃光の色温度を調整する、請求項３に記載の照明装置。
【請求項５】
前記第２モードにおいてカメラと連携するために前記カメラと通信する通信部を更に備えた、請求項１から請求項４のいずれか１項に記載の照明装置。
【請求項６】
前記光源は、発光ダイオードを含む、請求項１から請求項５のいずれか１項に記載の照明装置。
【請求項７】
前記照明装置は、前記第１モードにおいてシーリングライトとして機能する、請求項１から請求項６のいずれか１項に記載の照明装置。
【発明の詳細な説明】
【技術分野】
【０００１】
本発明は、照明装置に関する。
【背景技術】
【０００２】
特許文献１に記載の照明装置は、光源として発光ダイオードを備える。以下、発光ダイオードをＬＥＤ（Ｌｉｇｈｔ  Ｅｍｉｔｔｉｎｇ  Ｄｉｏｄｅ）という。この照明装置は、互いに異なる色温度で発光する複数種類のＬＥＤを備え、調光及び調色を行うことができる。
【先行技術文献】
【特許文献】
【０００３】
【特許文献１】特開２０１２−１３３９９５号公報
【発明の概要】
【発明が解決しようとする課題】
【０００４】
特許文献１に記載の照明装置を備えた部屋の中で写真撮影を行う場面を想定する。通例、照度不足を補うため、カメラに内蔵された閃光発生装置が用いられる。この場合、カメラに近い物だけが明るく撮影され、壁、家具のような背景が暗く撮影されることが多い。その結果、不自然な画像が得られる。カメラに内蔵された閃光発生装置に加えて外部の閃光発生装置のような高価な機材が用いられることもあるが、費用がかさむ。
【０００５】
そこで、本発明は上記事情を考慮し、照明光を発生する機能と、閃光を発生する機能とを兼ね備えた照明装置を提供することを目的とする。
【課題を解決するための手段】
【０００６】
本発明の照明装置は、光源と、駆動部とを備える。前記光源は、可変の明るさを有する光を発生する。前記駆動部は、前記光源を駆動する。前記駆動部は、第１モードにおいて、前記光源が照明光を発生するように前記光源を駆動する。前記駆動部は、第２モードにおいて、前記光源が閃光を発生するように前記光源を駆動する。前記閃光の明るさは、前記照明光の明るさよりも大きい。
【発明の効果】
【０００７】
本発明によれば、照明光を発生する機能と、閃光を発生する機能とを兼ね備えた照明装置を提供することができる。
【図面の簡単な説明】
【０００８】
【図１】第１実施形態における照明装置の使用環境の一例を示す概念図である。
【図２】図１中のカメラの構成の一例を示すブロック図である。
【図３】図１中の照明装置の構成の一例を示すブロック図である。
【図４】第１実施形態におけるカメラの制御部の処理の一例を示すフローチャートである。
【図５】第１実施形態における照明装置の制御部の処理の一例を示すフローチャートである。
【図６】（ａ）及び（ｂ）は、カメラと照明装置との同期を示すタイミング図である。
【図７】照明装置の第１変形例を示すブロック図である。
【図８】（ａ）及び（ｂ）は、第１及び第２モードにおいて図７中の光源に流れる電流の波形を示すタイミング図である。
【図９】照明装置の第２変形例を示すブロック図である。
【図１０】（ａ）及び（ｂ）は、第１及び第２モードにおいて図９中の光源に流れる電流の波形を示すタイミング図である。
【図１１】第２実施形態における照明装置の使用環境の一例を示す概念図である。
【図１２】図１１中の照明装置の構成の一例を示すブロック図である。
【図１３】第２実施形態におけるカメラの制御部の処理の一例を示すフローチャートである。
【図１４】第２実施形態における照明装置の制御部の処理の一例を示すフローチャートである。
【図１５】第３実施形態における照明装置及び閃光発生装置の使用環境の一例を示す概念図である。
【図１６】図１５中の閃光発生装置の構成の一例を示すブロック図である。
【図１７】第３実施形態におけるカメラの制御部の処理の一例を示すフローチャートである。
【図１８】第３実施形態における閃光発生装置の制御部の処理の一例を示すフローチャートである。
【図１９】第４実施形態における閃光発生装置の使用環境の一例を示す概念図である。
【図２０】図１９中の閃光発生装置の構成の一例を示すブロック図である。
【図２１】第４実施形態におけるカメラの制御部の処理の一例を示すフローチャートである。
【図２２】第４実施形態における閃光発生装置の制御部の処理の一例を示すフローチャートである。
【図２３】（ａ）及び（ｂ）は、カメラと閃光発生装置との同期を示すタイミング図である。
【図２４】閃光発生装置の第１変形例を示すブロック図である。
【図２５】閃光発生装置の第２変形例を示すブロック図である。
【発明を実施するための形態】
【０００９】
本発明の第１〜第４実施形態について、図１〜図２５を参照しながら説明する。なお、図中、同一又は相当部分については同一の参照符号を付して説明を繰り返さない。
【００１０】
［第１実施形態］
本発明の第１実施形態について、図１〜図１０を参照しながら説明する。
【００１１】
まず、図１を参照して、第１実施形態における照明装置２００の使用環境を説明する。図１は、照明装置２００の使用環境の一例を示す概念図である。
【００１２】
図１に示すように、部屋全体を明るく照明するように、部屋の天井に照明装置２００が設備される。照明装置２００は、照明光を発生する機能と、閃光を発生する機能とを兼ね備えたシーリングライトである。室内の人物を撮影するために、カメラ１００が用いられる。
【００１３】
次に、図２を参照して、図１中のカメラ１００の構成を説明する。図２は、カメラ１００の構成の一例を示すブロック図である。
【００１４】
図２に示すように、カメラ１００は、シャッタボタン１０２と、内蔵閃光発生部１０４と、測光部１０６と、撮像部１０８と、制御部１１０と、記憶部１２０と、通信部１３０とを備える。カメラ１００は、単機能のカメラでもよいし、スマートフォンに内蔵されたカメラでもよい。
【００１５】
シャッタボタン１０２は、写真撮影のタイミングを制御部１１０に通知するためのボタンである。シャッタボタン１０２は、撮影者により押下される。
【００１６】
内蔵閃光発生部１０４は、閃光発生機能がオン状態に設定されているときに閃光を発生する。内蔵閃光発生部１０４は、例えばキセノン管を含む。内蔵閃光発生部１０４は、制御部１１０からの指示で起動される。
【００１７】
測光部１０６は、撮影空間からカメラ１００に入射した光の強度を測定する。測光部１０６による測定結果は、制御部１１０へ通知される。
【００１８】
撮像部１０８は、撮影対象の画像を撮像する。撮像部１０８は、レンズ、絞り及びシャッタのような光学系と、電荷結合デバイスのような固体撮像素子とを備える。撮像部１０８は、制御部１１０との間で信号の授受を行う。固体撮像素子は、銀塩フィルムに置換可能である。
【００１９】
制御部１１０は、ＣＰＵ（Ｃｅｎｔｒａｌ  Ｐｒｏｃｅｓｓｉｎｇ  Ｕｎｉｔ）のようなプロセッサを含む。記憶部１２０は、データ及びコンピュータプログラムを記憶する。記憶部１２０は、半導体メモリのような記憶装置を含む。制御部１１０のプロセッサは、記憶部１２０の記憶装置に記憶されたコンピュータプログラムを実行することによって、カメラ１００の各構成を制御する。
【００２０】
通信部１３０は、照明装置２００と通信する。通信部１３０は、制御部１１０に接続されている。通信部１３０は、例えば赤外線通信を行う。赤外線通信は、電波による通信に置換可能である。
【００２１】
次に、図３を参照して、図１中の照明装置２００の構成を説明する。図３は、照明装置２００の構成の一例を示すブロック図である。
【００２２】
図３に示すように、照明装置２００は、光源２１０と、照明光用電源回路２２０と、逆流防止ダイオード２２２と、閃光用電源回路２３０と、スイッチ２３２と、抵抗器２３４と、制御部２４０と、記憶部２５０と、通信部２６０とを備える。
【００２３】
光源２１０は、可変の大きさの電流を光に変換し、可変の明るさの光を発生する。光源２１０は、複数のＬＥＤ２１２を含む。複数のＬＥＤ２１２は、互いに直並列接続されて、１つのＬＥＤモジュールを構成する。ＬＥＤモジュールは、１つのアノード端子と、１つのカソード端子とを有する。ＬＥＤモジュールには、閃光を発生する程度の短時間であれば、照明光を発生する場合の大きさの電流よりも大きい電流を流すことができる。
【００２４】
照明光用電源回路２２０は、第１モードにおいて光源２１０が照明光を発生するように、第１の大きさの電流を光源２１０に供給する。照明光用電源回路２２０は、１つの直流電源回路であって、高電圧側端子と、低電圧側端子とを有する。照明光用電源回路２２０の高電圧側端子は、逆流防止ダイオード２２２を介して光源２１０のアノード端子に接続されている。また、照明光用電源回路２２０の低電圧側端子は、光源２１０のカソード端子に接続されている。
【００２５】
閃光用電源回路２３０は、第２モードにおいて光源２１０が閃光を発生するように、第２の大きさの電流を光源２１０に供給する。第２の大きさの電流は、第１の大きさの電流よりも大きい。シーリングライトの定格電流に相当する第１の大きさを「１００％」とすると、第２の大きさは例えば「１０００％」である。この場合、第２の大きさは、第１の大きさの１０倍に相当する。閃光用電源回路２３０は、他の１つの直流電源回路であって、高電圧側端子と、低電圧側端子とを有する。閃光用電源回路２３０の高電圧側端子は、抵抗器２３４及びスイッチ２３２を介して光源２１０のアノード端子に接続されている。また、閃光用電源回路２３０の低電圧側端子は、光源２１０のカソード端子に接続されている。
【００２６】
スイッチ２３２は、閃光用電源回路２３０から光源２１０へ流れようとする電流を断接する。スイッチ２３２は、第１モードにおいてオフし、第２モードにおいてオンする。
【００２７】
抵抗器２３４は、閃光用電源回路２３０から光源２１０へ流れようとする電流の大きさを規制する。
【００２８】
逆流防止ダイオード２２２は、閃光用電源回路２３０の高電圧側端子から流れ出した電流が照明光用電源回路２２０の高電圧側端子へ逆流することを防止する。この逆流防止の機能が作動する場合、照明光用電源回路２２０から光源２１０への電流の供給が停止する。
【００２９】
制御部２４０は、ＣＰＵのようなプロセッサを含む。記憶部２５０は、データ及びコンピュータプログラムを記憶する。記憶部２５０は、半導体メモリのような記憶装置を含む。制御部２４０のプロセッサは、記憶部２５０の記憶装置に記憶されたコンピュータプログラムを実行することによって、照明装置２００の各構成を制御する。
【００３０】
具体的に説明すると、制御部２４０は、第１モードにおいて照明光用電源回路２２０が第１の大きさの電流を光源２１０に供給するように、照明光用電源回路２２０を制御する。第１の大きさの電流が光源２１０に供給されたとき、照明装置２００は、シーリングライトとして機能する。また、制御部２４０は、第２モードにおいて閃光用電源回路２３０が第２の大きさの電流を光源２１０に供給するように、閃光用電源回路２３０及びスイッチ２３２を制御する。
【００３１】
通信部２６０は、第２モードにおいてカメラ１００と連携するために、カメラ１００と通信する。通信部２６０は、制御部２４０に接続されている。通信部２６０は、例えば赤外線通信を行う。赤外線通信は、電波による通信に置換可能である。
【００３２】
照明光用電源回路２２０、逆流防止ダイオード２２２、閃光用電源回路２３０、スイッチ２３２、抵抗器２３４及び制御部２４０は、光源２１０を駆動する駆動部２４５を構成する。駆動部２４５は、第１モードにおいて、光源２１０が照明光を発生するように光源２１０を駆動する。また、駆動部２４５は、第２モードにおいて、光源２１０が閃光を発生するように光源２１０を駆動する。閃光の明るさは、照明光の明るさよりも大きい。
【００３３】
光源２１０に供給される電流の大きさと、光源２１０が発生する光の明るさとが比例するものと仮定する。また、第１モードにおいて１００％の大きさの電流が光源２１０に供給されたとき、光源２１０が１００％の明るさの光を発生するものとする。第２モードにおいて１０００％の大きさの電流が光源２１０に供給されたとき、光源２１０は１０００％の明るさの光を発生する。つまり、照明装置２００による閃光の明るさは、照明装置２００による照明光の明るさの１０倍に相当する。
【００３４】
次に、図２及び図４を参照して、カメラ１００の制御部１１０の処理について説明する。図４は、制御部１１０の処理の一例を示すフローチャートである。
【００３５】
ステップＳ１００：図４に示すように、制御部１１０は、測光部１０６を制御して、照明装置２００による第１モードにおける照明光のもとで測光を実行させる。
【００３６】
ステップＳ１０２：制御部１１０は、測光部１０６による測光の結果に基づいて、絞り及びシャッタ速度を計算する。内蔵閃光発生部１０４は、オフ状態の設定とする。
【００３７】
ステップＳ１０４：制御部１１０は、シャッタ速度を計算値の１０分の１に設定する。照明装置２００による閃光の明るさが測光時の照明光の明るさの１０倍に相当するので、制御部１１０は、シャッタ速度を計算値の１０分の１に設定することができる。その結果、ぶれが抑制された撮影が可能になる。
【００３８】
なお、光源２１０が第２モードで２０００％の発光をする場合、制御部１１０は、シャッタ速度を計算値の２０分の１に設定することができる。その結果、ぶれの抑制効果が更に大きくなる。
【００３９】
ステップＳ１０６：制御部１１０は、通信部１３０を介して照明装置２００に１０００％の閃光指示を送信する。
【００４０】
ステップＳ１０８：制御部１１０は、照明装置２００と同期をとるため、一定時間待つ。
【００４１】
ステップＳ１１０：制御部１１０は、撮像部１０８に撮影を実行させる。
【００４２】
次に、図３及び図５を参照して、照明装置２００の制御部２４０の処理について説明する。図５は、制御部２４０の処理の一例を示すフローチャートである。
【００４３】
ステップＳ２００：図５に示すように、制御部２４０は、光源２１０が第１モードの１００％発光をするように、照明光用電源回路２２０を制御する。スイッチ２３２は、オフ状態を維持する。
【００４４】
ステップＳ２０２：制御部２４０は、通信部２６０を介してカメラ１００からの信号を受信する。
【００４５】
ステップＳ２０４：制御部２４０は、カメラ１００から１０００％の閃光指示を受信したか否かを判定する。閃光指示を受信した場合（ステップＳ２０４でＹＥＳ）、制御部２４０の処理がステップＳ２０６へ進む。閃光指示を受信していない場合（ステップＳ２０４でＮＯ）、制御部２４０の処理がステップＳ２０２へ戻る。
【００４６】
ステップＳ２０６：制御部２４０は、カメラ１００と同期をとるため、一定時間待つ。
【００４７】
ステップＳ２０８：制御部２４０は、光源２１０が一定時間だけ第２モードの１０００％発光をするように、閃光用電源回路２３０及びスイッチ２３２を制御する。スイッチ２３２は、一定時間だけオン状態とされる。
【００４８】
ステップＳ２１０：制御部２４０は、光源２１０を第１モードの１００％発光に戻すように、スイッチ２３２を制御する。スイッチ２３２は、オフ状態に戻される。
【００４９】
次に、図６（ａ）及び図６（ｂ）を参照して、カメラ１００と照明装置２００との同期について説明する。図６（ａ）及び図６（ｂ）は、カメラ１００と照明装置２００との同期を示すタイミング図である。
【００５０】
図６（ａ）に示すように、照明装置２００の発光出力は、定常状態で１００％発光を示す。また、照明装置２００の発光出力は、一定時間だけ１０００％発光を示す。
【００５１】
図６（ｂ）に示すように、カメラ１００のシャッタは、照明装置２００の１０００％発光タイミングと同期して、一定時間だけ開く。シャッタが開く時間は、照明装置２００の１０００％発光時間、すなわち閃光発生時間とほぼ等しく、１００分の１秒程度である。
【００５２】
第１実施形態によれば、照明光を発生する機能と、閃光を発生する機能とを兼ね備えた照明装置２００を提供することができる。しかも、シーリングライトの光源２１０を用いて部屋全体に閃光を届けることができるので、カメラ１００に近い人物のみが明るく撮影されることが抑制される。
【００５３】
次に、図７を参照して、照明装置２００の第１変形例について説明する。図７は、照明装置２００の第１変形例を示すブロック図である。
【００５４】
図７に示すように、第１変形例に係る照明装置２００は、駆動部２４５が単一の共用電源回路２３６と、制御部２４０とにより構成される点で、図３に示す照明装置２００と異なる。
【００５５】
共用電源回路２３６は、第１モードにおいて光源２１０が照明光を発生するように、１００％の大きさの電流を光源２１０に供給する。また、共用電源回路２３６は、第２モードにおいて光源２１０が閃光を発生するように、３００％の大きさの電流を光源２１０に供給する。共用電源回路２３６は、１つの直流電源回路であって、高電圧側端子と、低電圧側端子とを有する。共用電源回路２３６の高電圧側端子は、光源２１０のアノード端子に接続されている。また、共用電源回路２３６の低電圧側端子は、光源２１０のカソード端子に接続されている。
【００５６】
制御部２４０は、第１モードにおいて共用電源回路２３６が１００％の大きさの電流を光源２１０に供給するように、共用電源回路２３６を制御する。また、制御部２４０は、第２モードにおいて共用電源回路２３６が３００％の大きさの電流を光源２１０に供給するように、共用電源回路２３６を制御する。
【００５７】
次に、図８（ａ）及び図８（ｂ）を参照して、図７中の光源２１０に流れる電流の波形を説明する。図８（ａ）及び図８（ｂ）は、第１及び第２モードにおいて図７中の光源２１０に流れる電流の波形を示すタイミング図である。
【００５８】
図８（ａ）に示すように、第１モードにおいて、光源２１０に１００％の大きさの電流が供給される。その結果、１００％の明るさの照明光が得られる。
【００５９】
図８（ｂ）に示すように、第２モードにおいて、カメラ１００の露光時間に相当する時間だけ、光源２１０に３００％の大きさの電流が供給される。その結果、３００％の明るさの閃光が得られる。
【００６０】
第１変形例によれば、第２モードにおいて光源２１０に供給される電流の大きさが図３に示す照明装置２００に比べて低減されるので、共用電源回路２３６を容易に構成することができる。
【００６１】
次に、図９を参照して、照明装置２００の第２変形例について説明する。図９は、照明装置２００の第２変形例を示すブロック図である。
【００６２】
図９に示すように、第２変形例に係る照明装置２００は、駆動部２４５が単一のスイッチング電源回路２３８と、制御部２４０とにより構成される点で、図３に示す照明装置２００と異なる。
【００６３】
スイッチング電源回路２３８は、第１モードにおいて光源２１０が照明光を発生するように、１０００％の大きさでデューティ比が１０％の電流を光源２１０に供給する。また、スイッチング電源回路２３８は、第２モードにおいて光源２１０が閃光を発生するように、１０００％の大きさでデューティ比が１００％の電流を光源２１０に供給する。スイッチング電源回路２３８は、１つの直流電源回路であって、高電圧側端子と、低電圧側端子とを有する。スイッチング電源回路２３８の高電圧側端子は、光源２１０のアノード端子に接続されている。また、スイッチング電源回路２３８の低電圧側端子は、光源２１０のカソード端子に接続されている。
【００６４】
制御部２４０は、第１モードにおいてスイッチング電源回路２３８が１０００％の大きさでデューティ比が１０％の電流を光源２１０に供給するように、スイッチング電源回路２３８を制御する。また、制御部２４０は、第２モードにおいてスイッチング電源回路２３８が１０００％の大きさでデューティ比が１００％の電流を光源２１０に供給するように、スイッチング電源回路２３８を制御する。
【００６５】
次に、図１０（ａ）及び図１０（ｂ）を参照して、図９中の光源２１０に流れる電流の波形を説明する。図１０（ａ）及び図１０（ｂ）は、第１及び第２モードにおいて図９中の光源２１０に流れる電流の波形を示すタイミング図である。
【００６６】
図１０（ａ）に示すように、第１モードにおいて、光源２１０に１０００％の大きさでデューティ比が１０％の電流が供給される。その結果、１００％の明るさの照明光が得られる。
【００６７】
図１０（ｂ）に示すように、第２モードにおいて、カメラ１００の露光時間に相当する時間だけ、光源２１０に１０００％の大きさでデューティ比が１００％の電流が供給される。その結果、１０００％の明るさの閃光が得られる。
【００６８】
第２変形例によれば、光源２１０に供給する電流のデューティ比を大きくすることで閃光が得られる。
【００６９】
［第２実施形態］
本発明の第２実施形態について、図１１〜図１４を参照しながら説明する。
【００７０】
まず、図１１を参照して、第２実施形態における照明装置２００の使用環境を説明する。図１１は、照明装置２００の使用環境の一例を示す概念図である。
【００７１】
図１１に示すように、部屋全体を明るく照明するように、部屋の天井に複数のダウンライト３００とともに照明装置２００が設備される。照明装置２００は、照明光を発生する機能と、閃光を発生する機能とを兼ね備えたシーリングライトである。照明装置２００は、調光及び調色が可能でもある。室内の人物を撮影するために、カメラ１００が用いられる。
【００７２】
図１１中のカメラ１００の構成は、図２で説明した構成と同様であるので、詳細な説明を省略する。
【００７３】
次に、図１２を参照して、図１１中の照明装置２００の構成を説明する。図１２は、照明装置２００の構成の一例を示すブロック図である。
【００７４】
図１２に示すように、第２実施形態の光源２１０は、複数の高色温度ＬＥＤ２１２ａと、複数の低色温度ＬＥＤ２１２ｂとを有する点で、第１実施形態の光源２１０と異なる。複数の高色温度ＬＥＤ２１２ａは、互いに直並列接続されて、１つの高色温度ＬＥＤモジュールを構成する。高色温度ＬＥＤモジュールは、第１色温度の光を発生する第１光源２１４ａを構成する。複数の低色温度ＬＥＤ２１２ｂは、互いに直並列接続されて、１つの低色温度ＬＥＤモジュールを構成する。低色温度ＬＥＤモジュールは、第１色温度と異なる第２色温度の光を発生する第２光源２１４ｂを構成する。
【００７５】
第２実施形態の照明装置２００は、第１光源２１４ａのために第１逆流防止ダイオード２２２ａと、第１スイッチ２３２ａと、第１抵抗器２３４ａとを備える点で、第１実施形態の照明装置２００と異なる。また、第２実施形態の照明装置２００は、第２光源２１４ｂのために第２逆流防止ダイオード２２２ｂと、第２スイッチ２３２ｂと、第２抵抗器２３４ｂとを備える点で、第１実施形態の照明装置２００と異なる。これらの回路要素の接続は、第１実施形態の照明装置２００と同様である。
【００７６】
第２実施形態の照明光用電源回路２２０は、第１モードにおいて第３の大きさの電流を第１光源２１４ａに供給し、第４の大きさの電流を第２光源２１４ｂに供給する点で、第１実施形態の照明光用電源回路２２０と異なる。その結果、光源２１０は、所定の明るさ及び色温度を有する合成照明光を発生する。第３の大きさと第４の大きさとの合計は、第１実施形態における第１の大きさに相当する。
【００７７】
第２実施形態の閃光用電源回路２３０は、第２モードにおいて第５の大きさの電流を第１光源２１４ａに供給し、第６の大きさの電流を第２光源２１４ｂに供給する点で、第１実施形態の閃光用電源回路２３０と異なる。その結果、光源２１０は、所定の明るさ及び色温度を有する合成閃光を発生する。第５の大きさと第６の大きさとの合計は、第１実施形態における第２の大きさに相当する。
【００７８】
第２実施形態の制御部２４０は、第１モードにおいて照明光の明るさ及び色温度を調整するように照明光用電源回路２２０を制御する機能を有する点で、第１実施形態の制御部２４０と異なる。また、第２実施形態の制御部２４０は、第２モードにおいて閃光の明るさを調整するように閃光用電源回路２３０を制御する機能を有する点で、第１実施形態の制御部２４０と異なる。更に、第２実施形態の制御部２４０は、第２モードにおいて空間の色温度の測定結果に基づいて閃光の色温度を調整するように閃光用電源回路２３０を制御する機能を有する点で、第１実施形態の制御部２４０と異なる。
【００７９】
次に、図２及び図１３を参照して、カメラ１００の制御部１１０の処理について説明する。図１３は、制御部１１０の処理の一例を示すフローチャートである。
【００８０】
ステップＳ１２０：図１３に示すように、制御部１１０は、測光部１０６を制御して、照明装置２００による第１モードにおける照明光のもとで測光を実行させる。
【００８１】
ステップＳ１２２：制御部１１０は、測光部１０６による測光の結果に基づいて、ホワイトバランスを計測する。具体的には、空間の色温度を測定する。複数のダウンライト３００の各々は、例えば２７００Ｋの色温度を有する照明光を発生する。照明装置２００は、第１モードにおいて例えば５０００Ｋの色温度を有する照明光を発生する。その結果、空間の色温度として例えば４５００Ｋの測定結果が得られる。
【００８２】
ステップＳ１２４：制御部１１０は、測光部１０６による測光の結果に基づいて、絞り及びシャッタ速度を計算する。内蔵閃光発生部１０４は、オフ状態の設定とする。
【００８３】
ステップＳ１２６：制御部１１０は、シャッタ速度を計算値の１０分の１に設定する。照明装置２００による閃光の明るさが測光時の照明光の明るさの１０倍に相当するので、制御部１１０は、シャッタ速度を計算値の１０分の１に設定することができる。
【００８４】
ステップＳ１２８：制御部１１０は、通信部１３０を介して照明装置２００に１０００％かつ目標色温度Ｂの閃光指示を送信する。違和感のない写真撮影のため、ステップＳ１２２で得られた空間の色温度を照明装置２００の目標色温度Ｂとする。上記の例では、目標色温度Ｂが４５００Ｋとされる。
【００８５】
ステップＳ１３０：制御部１１０は、照明装置２００と同期をとるため、一定時間待つ。
【００８６】
ステップＳ１３２：制御部１１０は、撮像部１０８に撮影を実行させる。
【００８７】
次に、図１２及び図１４を参照して、照明装置２００の制御部２４０の処理について説明する。図１４は、制御部２４０の処理の一例を示すフローチャートである。
【００８８】
ステップＳ２２０：図１４に示すように、制御部２４０は、光源２１０が第１モードの１００％発光を色温度Ａで実行するように、照明光用電源回路２２０を制御する。第１スイッチ２３２ａ及び第２スイッチ２３２ｂは、オフ状態を維持する。上記の例によれば、色温度Ａは５０００Ｋである。光源２１０の光束は、例えば５０００ルーメンである。
【００８９】
ステップＳ２２２：制御部２４０は、通信部２６０を介してカメラ１００からの信号を受信する。
【００９０】
ステップＳ２２４：制御部２４０は、カメラ１００から１０００％かつ目標色温度Ｂの閃光指示を受信したか否かを判定する。閃光指示を受信した場合（ステップＳ２２４でＹＥＳ）、制御部２４０の処理がステップＳ２２６へ進む。閃光指示を受信していない場合（ステップＳ２２４でＮＯ）、制御部２４０の処理がステップＳ２２２へ戻る。
【００９１】
ステップＳ２２６：制御部２４０は、目標色温度Ｂを実現するために光源２１０が発生すべき閃光の色温度Ｃを計算する。一般に、色温度Ｐかつ光束ｐの光源と、色温度Ｑかつ光束ｑの光源とに基づく合成後の色温度Ｒは、
Ｒ＝（Ｐ×ｐ＋Ｑ×ｑ）／（ｐ＋ｑ）
で求められる。上記の例によれば、１０００％の大きさの閃光の光束は５００００ルーメンとなり、１０００％の大きさの閃光の色温度Ｃとして約４６５３Ｋが得られる。
【００９２】
ステップＳ２２８：制御部２４０は、カメラ１００と同期をとるため、一定時間待つ。
【００９３】
ステップＳ２３０：制御部２４０は、光源２１０が一定時間だけ第２モードの１０００％発光を色温度Ｃで実行するように、閃光用電源回路２３０、第１スイッチ２３２ａ及び第２スイッチ２３２ｂを制御する。
【００９４】
ステップＳ２３２：制御部２４０は、光源２１０を第１モードの１００％かつ色温度Ａの発光に戻すように、第１スイッチ２３２ａ及び第２スイッチ２３２ｂを制御する。
【００９５】
第２実施形態によれば、空間の色温度の測定結果に基づいて照明装置２００による閃光の色温度を調整することにより、閃光が当たったところだけ大きく色味が変わる不具合を抑制することができる。
【００９６】
［第３実施形態］
本発明の第３実施形態について、図１５〜図１８を参照しながら説明する。
【００９７】
まず、図１５を参照して、第３実施形態における照明装置２００及び閃光発生装置４００の使用環境を説明する。図１５は、照明装置２００及び閃光発生装置４００の使用環境の一例を示す概念図である。
【００９８】
図１５に示すように、部屋全体を明るく照明するように、部屋の天井に複数のダウンライト３００とともに照明装置２００が設備される。照明装置２００は、照明光を発生する機能と、閃光を発生する機能とを兼ね備えたシーリングライトである。照明装置２００は、調光及び調色が可能でもある。室内の人物を撮影するために、カメラ１００に加えて１又は複数の閃光発生装置４００が用いられる。
【００９９】
図１５中の照明装置２００の構成は、図１１で説明した構成と同様であるので、詳細な説明を省略する。
【０１００】
次に、図１６を参照して、図１５中の閃光発生装置４００の構成を説明する。図１５は、閃光発生装置４００の構成の一例を示すブロック図である。
【０１０１】
図１６に示すように、閃光発生装置４００は、光源４１０と、電源回路４３０と、第１スイッチ４３２ａと、第２スイッチ４３２ｂと、第１抵抗器４３４ａと、第２抵抗器４３４ｂと、制御部４４０と、記憶部４５０と、通信部４６０とを備える。
【０１０２】
光源４１０は、複数の高色温度ＬＥＤ４１２ａと、複数の低色温度ＬＥＤ４１２ｂとを含む。複数の高色温度ＬＥＤ４１２ａは、互いに直並列接続されて、１つの高色温度ＬＥＤモジュールを構成する。高色温度ＬＥＤモジュールは、第１色温度で閃光を発生する第１光源４１４ａを構成する。複数の低色温度ＬＥＤ４１２ｂは、互いに直並列接続されて、１つの低色温度ＬＥＤモジュールを構成する。低色温度ＬＥＤモジュールは、第１色温度と異なる第２色温度で閃光を発生する第２光源４１４ｂを構成する。
【０１０３】
電源回路４３０は、１つの直流電源回路であって、第１及び第２高電圧側端子と、第１及び第２低電圧側端子とを有する。電源回路４３０の第１高電圧側端子は、第１抵抗器４３４ａ及び第１スイッチ４３２ａを介して第１光源４１４ａのアノード端子に接続されている。電源回路４３０の第１低電圧側端子は、第１光源４１４ａのカソード端子に接続されている。電源回路４３０の第２高電圧側端子は、第２抵抗器４３４ｂ及び第２スイッチ４３２ｂを介して第２光源４１４ｂのアノード端子に接続されている。電源回路４３０の第２低電圧側端子は、第２光源４１４ｂのカソード端子に接続されている。
【０１０４】
電源回路４３０は、光源４１０が所定の明るさ及び色温度を有する閃光を発生するように、第７の大きさの電流を第１光源４１４ａに供給し、第８の大きさの電流を第２光源４１４ｂに供給する。
【０１０５】
制御部４４０は、ＣＰＵのようなプロセッサを含む。記憶部４５０は、データ及びコンピュータプログラムを記憶する。記憶部４５０は、半導体メモリのような記憶装置を含む。制御部４４０のプロセッサは、記憶部４５０の記憶装置に記憶されたコンピュータプログラムを実行することによって、閃光発生装置４００の各構成を制御する。
【０１０６】
具体的に説明すると、制御部４４０は、閃光の明るさ及び色温度を調整するように、電源回路４３０を制御する。また、制御部４４０は、第１スイッチ４３２ａ及び第２スイッチ４３２ｂの開閉を制御する。
【０１０７】
通信部４６０は、カメラ１００と連携するために、カメラ１００と通信する。通信部４６０は、制御部４４０に接続されている。通信部４６０は、例えば赤外線通信を行う。赤外線通信は、電波による通信に置換可能である。
【０１０８】
図１６中の電源回路４３０、第１スイッチ４３２ａ、第２スイッチ４３２ｂ、第１抵抗器４３４ａ、第２抵抗器４３４ｂ及び制御部４４０は、第１光源４１４ａと第２光源４１４ｂとを駆動する駆動部４４５を構成する。第１光源４１４ａ及び第２光源４１４ｂは、駆動部４４５により駆動されて、第１色温度と第２色温度との間で調整された第３色温度の合成閃光を発生する。
【０１０９】
図１５中のカメラ１００の構成は、図２で説明した構成と同様であるので、詳細な説明を省略する。ただし、第３実施形態の内蔵閃光発生部１０４は、図１６で説明した光源４１０、電源回路４３０、第１スイッチ４３２ａ、第２スイッチ４３２ｂ、第１抵抗器４３４ａ及び第２抵抗器４３４ｂと同様の構成を有する点で、第１実施形態の内蔵閃光発生部１０４と異なる。
【０１１０】
次に、図２及び図１７を参照して、カメラ１００の制御部１１０の処理について説明する。図１７は、制御部１１０の処理の一例を示すフローチャートである。
【０１１１】
図１７の処理は、図１３の処理にステップＳ１３４の処理を追加したものである。そこで、ステップＳ１３４のみについて説明する。
【０１１２】
ステップＳ１３４：図１７に示すように、制御部１１０は、ステップＳ１３２の処理と並行して、内蔵閃光発生部１０４を目標色温度Ｂで発光させる。
【０１１３】
照明装置２００の制御部２４０の処理は、図１４で説明した処理と同様であるので、詳細な説明を省略する。
【０１１４】
次に、図１６及び図１８を参照して、閃光発生装置４００の制御部４４０の処理について説明する。図１８は、制御部４４０の処理の一例を示すフローチャートである。
【０１１５】
ステップＳ３００：図１８に示すように、制御部４４０は、通信部４６０を介してカメラ１００からの信号を受信する。
【０１１６】
ステップＳ３０２：制御部４４０は、カメラ１００から目標色温度Ｂの閃光指示を受信したか否かを判定する。閃光指示を受信した場合（ステップＳ３０２でＹＥＳ）、制御部４４０の処理がステップＳ３０４へ進む。閃光指示を受信していない場合（ステップＳ３０２でＮＯ）、制御部４４０の処理がステップＳ３００へ戻る。
【０１１７】
ステップＳ３０４：制御部４４０は、カメラ１００から通信部４６０を介して指示された目標色温度Ｂに基づいて、光源４１０の第３色温度を指定する。つまり、制御部４４０は、光源４１０が一定時間だけ目標色温度Ｂの閃光を発生するように、電源回路４３０、第１スイッチ４３２ａ及び第２スイッチ４３２ｂを制御する。
【０１１８】
第３実施形態によれば、閃光発生装置４００に光学フィルタを装着せずに閃光の調色を実現することができる。また、空間の色温度の測定結果に基づいて閃光発生装置４００による閃光の色温度を指定することにより、閃光が当たったところだけ大きく色味が変わる不具合を抑制することができる。
【０１１９】
［第４実施形態］
本発明の第４実施形態について、図１９〜図２５を参照しながら説明する。
【０１２０】
まず、図１９を参照して、第４実施形態における閃光発生装置４００の使用環境を説明する。図１９は、閃光発生装置４００の使用環境の一例を示す概念図である。
【０１２１】
図１９に示すように、部屋全体を明るく照明するように、部屋の天井に照明装置２００ａが設備される。照明装置２００ａは、閃光を発生する機能を有しないシーリングライトである。室内の人物を撮影するために、カメラ１００に加えて１又は複数の閃光発生装置４００が用いられる。
【０１２２】
次に、図２０を参照して、図１９中の閃光発生装置４００の構成を説明する。図２０は、閃光発生装置４００の構成の一例を示すブロック図である。
【０１２３】
図２０に示すように、第４実施形態の閃光発生装置４００は、偏移設定部４７０を備える点で、第３実施形態の閃光発生装置４００と異なる。偏移設定部４７０は、ユーザーが色温度の偏移を設定するための手段である。制御部４４０は、カメラ１００から指示された色温度を、偏移として設定された量だけずらした色温度を、合成閃光の第３色温度として指定する。
【０１２４】
図１９中のカメラ１００の構成は、図２で説明した構成と同様であるので、詳細な説明を省略する。ただし、第４実施形態の内蔵閃光発生部１０４は、図１６で説明した光源４１０、電源回路４３０、第１スイッチ４３２ａ、第２スイッチ４３２ｂ、第１抵抗器４３４ａ及び第２抵抗器４３４ｂと同様の構成を有する点で、第１実施形態の内蔵閃光発生部１０４と異なる。
【０１２５】
次に、図２及び図２１を参照して、カメラ１００の制御部１１０の処理について説明する。図２１は、制御部１１０の処理の一例を示すフローチャートである。
【０１２６】
ステップＳ１６０：図２１に示すように、制御部１１０は、測光部１０６を制御して、照明装置２００ａによる照明光のもとで測光を実行させる。
【０１２７】
ステップＳ１６２：制御部１１０は、測光部１０６による測光の結果に基づいて、ホワイトバランスを計測する。具体的には、空間の色温度を測定する。
【０１２８】
ステップＳ１６４：制御部１１０は、測光部１０６による測光の結果に基づいて、絞り及びシャッタ速度を決定する。
【０１２９】
ステップＳ１６６：制御部１１０は、目標色温度Ｂを決定する。違和感のない写真撮影のため、ステップＳ１６２で得られた空間の色温度を内蔵閃光発生部１０４及び閃光発生装置４００の目標色温度Ｂとする。
【０１３０】
ステップＳ１６８：制御部１１０は、通信部１３０を介して閃光発生装置４００に目標色温度Ｂの閃光指示を送信する。
【０１３１】
ステップＳ１７０：制御部１１０は、内蔵閃光発生部１０４を目標色温度Ｂで発光させる。
【０１３２】
ステップＳ１７２：制御部１１０は、ステップＳ１７０の処理と並行して撮像部１０８に撮影を実行させる。
【０１３３】
次に、図２０及び図２２を参照して、閃光発生装置４００の制御部４４０の処理について説明する。図２２は、制御部４４０の処理の一例を示すフローチャートである。
【０１３４】
ステップＳ３１０：図２２に示すように、制御部４４０は、偏移設定部４７０から偏移設定値αを読み込む。偏移設定値αは、正の値、負の値、ゼロのいずれに置換可能である。
【０１３５】
ステップＳ３１２：制御部４４０は、通信部４６０を介してカメラ１００からの信号を受信する。
【０１３６】
ステップＳ３１４：制御部４４０は、カメラ１００から目標色温度Ｂの閃光指示を受信したか否かを判定する。閃光指示を受信した場合（ステップＳ３１４でＹＥＳ）、制御部４４０の処理がステップＳ３１６へ進む。閃光指示を受信していない場合（ステップＳ３１４でＮＯ）、制御部４４０の処理がステップＳ３１２へ戻る。
【０１３７】
ステップＳ３１６：制御部４４０は、カメラ１００から指示された目標色温度Ｂを偏移設定値αだけずらした色温度Ｄ（＝Ｂ＋α）を計算する。
【０１３８】
ステップＳ３１８：制御部４４０は、計算により得られた色温度Ｄに基づいて、光源４１０の第３色温度を指定する。つまり、制御部４４０は、光源４１０が一定時間だけ色温度Ｄの閃光を発生するように、電源回路４３０、第１スイッチ４３２ａ及び第２スイッチ４３２ｂを制御する。
【０１３９】
次に、図２３（ａ）及び図２３（ｂ）を参照して、カメラ１００と閃光発生装置４００との同期について説明する。図２３（ａ）及び図２３（ｂ）は、カメラ１００と閃光発生装置４００との同期を示すタイミング図である。
【０１４０】
図２３（ａ）に示すように、閃光発生装置４００の閃光出力は、一定時間だけオン状態を示す。
【０１４１】
図２３（ｂ）に示すように、カメラ１００のシャッタは、閃光発生装置４００の発光タイミングと同期して、一定時間だけ開く。閃光発生時間は、シャッタの開放時間よりも短くてよい。
【０１４２】
第４実施形態によれば、カメラ１００から指示された目標色温度Ｂが偏移設定値αだけずらされるので、撮影者の意図を閃光の色温度Ｄに反映させることができる。
【０１４３】
次に、図２４を参照して、閃光発生装置４００の第１変形例について説明する。図２４は、閃光発生装置４００の第１変形例を示すブロック図である。
【０１４４】
図２４に示すように、第１変形例に係る閃光発生装置４００は、色温度測定部４８０を更に備える点で、図２０の閃光発生装置４００と異なる。色温度測定部４８０は、空間の色温度を測定するための手段である。
【０１４５】
第１変形例の制御部４４０は、色温度測定部４８０により測定された色温度を偏移設定値αだけずらした色温度を、合成閃光の第３色温度として指定する。
【０１４６】
第１変形例によれば、カメラ１００からの指示なしで、空間の色温度に応じた合成閃光の色温度を指定することができる。
【０１４７】
最後に、図２５を参照して、閃光発生装置４００の第２変形例について説明する。図２５は、閃光発生装置４００の第２変形例を示すブロック図である。
【０１４８】
図２５に示すように、第２変形例に係る閃光発生装置４００は、偏移設定部４７０に代えて色温度設定部４９０を備える点で、図２０の閃光発生装置４００と異なる。色温度設定部４９０は、ユーザーが色温度を設定するための手段である。
【０１４９】
第２変形例の制御部４４０は、色温度設定部４９０により設定された色温度を、合成閃光の第３色温度として指定する。
【０１５０】
第２変形例によれば、カメラ１００からの指示なしで合成閃光の色温度をユーザーが設定することができる。
【０１５１】
上記した実施形態の説明は、本発明における好適な実施形態を説明しているため、技術的に好ましい種々の限定を付している場合もあるが、本発明の技術範囲は、特に本発明を限定する記載がない限り、これらの態様に限定されるものではない。すなわち、上記実施形態における構成要素は適宜、既存の構成要素等との置き換えが可能であり、かつ、他の既存の構成要素との組合せを含む様々なバリエーションが可能である。上記実施形態の記載をもって、特許請求の範囲に記載された発明の内容を限定するものではない。
【０１５２】
（１）第１実施形態では、図３に示すように光源２１０がＬＥＤ２１２を含んだが、これに限られない。レーザー光が蛍光体に当たる時間を調整すれば、レーザーダイオードを光源２１０に用いることも可能である。第２及び第３実施形態でも同様である。
【０１５３】
（２）第１実施形態では、図４及び図５に示すようにカメラ１００からの信号を受けて照明装置２００が同期動作をしたが、これに限られない。照明装置２００からの信号を受けてカメラ１００が同期動作をすることも可能である。第２及び第３実施形態でも同様である。
【０１５４】
（３）第２実施形態では、図１２に示すように電流の大きさを調節することにより合成閃光の調色を実現したが、これに限られない。電流のデューティ比を調節することにより合成閃光の調色を実現することも可能である。第３及び第４実施形態でも同様である。
【０１５５】
（４）第３実施形態では、図１６に示すように光源４１０が高色温度ＬＥＤ４１２ａ及び低色温度ＬＥＤ４１２ｂを含んだが、これに限られない。レーザー光が蛍光体に当たる時間を調整すれば、レーザーダイオードを光源４１０に用いることも可能である。第４実施形態でも同様である。
【０１５６】
（５）第１実施形態では、図３に示すように抵抗器２３４を介して閃光用電源回路２３０の高電圧側端子を光源２１０のアノード端子に接続したが、これに限られない。閃光用電源回路２３０は、定電流回路として構成されてもよい。第２及び第３実施形態の閃光用電源回路２３０でも、また第３及び第４実施形態の電源回路４３０でも同様である。
【０１５７】
（６）第１実施形態では、図３に示すように閃光用電源回路２３０が光源２１０へ電流を供給する間は照明光用電源回路２２０が光源２１０への電流の供給を停止したが、これに限られない。照明光用電源回路２２０から供給される電流と閃光用電源回路２３０から供給される電流との合計が１０００％の大きさの電流になるようにしてもよい。第２及び第３実施形態でも同様である。
【０１５８】
（７）第１実施形態では、図６（ａ）に示すように照明装置２００から閃光発生時間内に不変の大きさの発光出力が得られたが、これに限られない。発光出力について所定の時間積分値が得られる限り、閃光発生時間内に発光出力が高周波数でオン・オフを繰り返してもよく、また閃光発生時間内に発光出力の大きさが緩慢に変動してもよい。第２及び第３実施形態の照明装置２００でも、また第３及び第４実施形態の閃光発生装置４００でも同様である。
【０１５９】
（８）第２実施形態では、図１２に示すように照明装置２００の第１スイッチ２３２ａ及び第２スイッチ２３２ｂが同時にオンし、かつ同時にオフすることにより第１光源２１４ａ及び第２光源２１４ｂの発光期間が一致したが、これに限られない。第１光源２１４ａが発生する光の大きさを閃光発生時間内で平均した値と、第２光源２１４ｂが発生する光の大きさを閃光発生時間内で平均した値との比率が所望の色温度に応じて制御されればよい。第３実施形態の照明装置２００でも、また第３及び第４実施形態の閃光発生装置４００でも同様である。
【産業上の利用可能性】
【０１６０】
本発明は、照明装置の分野に利用可能である。
【符号の説明】
【０１６１】
１００    カメラ
１０４    内蔵閃光発生部
１０６    測光部
１１０  制御部
１３０  通信部
２００    照明装置
２１０    光源
２１２    ＬＥＤ
２１２ａ  高色温度ＬＥＤ
２１２ｂ  低色温度ＬＥＤ
２１４ａ  第１光源
２１４ｂ  第２光源
２２０    照明光用電源回路
２３０    閃光用電源回路
２３６    共用電源回路
２３８    スイッチング電源回路
２４０    制御部
２４５    駆動部
２６０    通信部
４００    閃光発生装置
４１０    光源
４１２ａ  高色温度ＬＥＤ
４１２ｂ  低色温度ＬＥＤ
４１４ａ  第１光源
４１４ｂ  第２光源
４３０    電源回路
４４０    制御部
４４５    駆動部
４６０    通信部
４７０    偏移設定部
４８０    色温度測定部
４９０    色温度設定部
【図１】
2020072054.tif 000003
【図２】
2020072054.tif 000004
【図３】
2020072054.tif 000005
【図４】
2020072054.tif 000006
【図５】
2020072054.tif 000007
【図６】
2020072054.tif 000008
【図７】
2020072054.tif 000009
【図８】
2020072054.tif 000010
【図９】
2020072054.tif 000011
【図１０】
2020072054.tif 000012
【図１１】
2020072054.tif 000013
【図１２】
2020072054.tif 000014
【図１３】
2020072054.tif 000015
【図１４】
2020072054.tif 000016
【図１５】
2020072054.tif 000017
【図１６】
2020072054.tif 000018
【図１７】
2020072054.tif 000019
【図１８】
2020072054.tif 000020
【図１９】
2020072054.tif 000021
【図２０】
2020072054.tif 000022
【図２１】
2020072054.tif 000023
【図２２】
2020072054.tif 000024
【図２３】
2020072054.tif 000025
【図２４】
2020072054.tif 000026
【図２５】
2020072054.tif 000027